(57)【要約】【課題】髭剃りする時に簡単な構造でシェービング剤を自動的に十分にかみそり刃に供給でき、シェービング剤を別途所持しなくてもいつでもどこでも髭剃りですることができると共に低コストで実現できる振動式かみそりを提供する。【解決手段】かみそり刃４が配置されたヘッド部１と、このヘッド部１に一端が連結されたグリップ部２と、かみそり刃４に振動を加える振動発生装置を備えた振動式かみそりである。これにおいて、モータ６を動力としてモータ６にて回転駆動される偏心カムＡにてダイヤフラム１０が振動させられることで作動するダイヤフラム式ポンプＢを具備し、シェービング剤を貯蔵した剤タンク１１からシェービング剤をダイヤフラム式ポンプＢにてヘッド部１のかみそり刃４の近傍に供給するようにすると共にダイヤフラム式ポンプＢ自体を振動発生装置としてかみそり刃４に振動を与えるようにする。【選択図】        図１
2004321322.tif 000002
【特許請求の範囲】
【請求項１】
肌に対して刃先を刃先の稜線方向と直交する方向に摺動させて髭を剃るかみそり刃が配置されたヘッド部と、このヘッド部に一端が連結されたグリップ部と、かみそり刃に振動を加える振動発生装置を備えた振動式かみそりにおいて、モータを動力としてモータにて回転駆動される偏心カムにてダイヤフラムが振動させられることで作動するダイヤフラム式ポンプを具備し、シェービング剤を貯蔵した剤タンクからシェービング剤をダイヤフラム式ポンプにてヘッド部のかみそり刃の近傍に供給するようにすると共にダイヤフラム式ポンプ自体を振動発生装置としてかみそり刃に振動を与えるようにしたことを特徴とする振動式かみそり。
【請求項２】
シェービング剤の噴出を制御するためにモータからダイヤフラムに動力を伝達する前にダイヤフラムにかかる圧力を弱める機構を有することを特徴とする請求項１記載の振動式かみそり。
【請求項３】
剤タンクからダイヤフラム式ポンプにシェービング剤を送る経路に空気導入孔を設けると共にダイヤフラム式ポンプ内にシェービング剤を攪拌する機構を設け、泡状のシェービング剤をかみそり刃に吐出するようにしたことを特徴とする請求項１記載の振動式かみそり。
【請求項４】
かみそり刃の側面に微小な溝を有し、該溝までシェービング剤を導く導管を有し、ダイヤフラム式ポンプによりシェービング剤がかみそり刃の刃先まで送られるようにしたことを特徴とする請求項１記載の振動式かみそり。
【請求項５】
ヘッド部の髭剃り時に肌に接する部分にダイヤフラム式ポンプより送られてきたシェーッビング剤を担持する担持体を有することを特徴とする請求項１記載の振動式かみそり。
【請求項６】
ダイヤフラム式ポンプから送られてきたシェービング剤を刃ヘッド近傍にてかみそり刃の刃先線に沿って分岐させる分岐体を有することを特徴とする請求項１記載の振動式かみそり。
【請求項７】
ヘッド部にローラ等を有し、ヘッド部近傍まで送られてきたシェービング剤を肌面に分散せしめる構造を有することを特徴とする請求項１記載の振動式かみそり。
【発明の詳細な説明】
【０００１】
【発明の属する技術分野】
本発明は、１枚以上の単刃のかみそり刃を有し、肌に対して刃先を刃先の稜線方向と直交する方向に摺動させて髭を剃る際にかみそり刃を振動させて行うようにした振動式かみそりに関するものである。
【０００２】
【従来の技術】
最も一般的な髭剃り手段としては、肌に対して刃先を刃先の稜線方向と直交する方向に摺動させて髭を剃るかみそり刃が配置されたヘッド部と、このヘッド部に一端が連結されたグリップ部とを有する、所謂安全かみそりと称されるものある。これは通常髭の剃りたいところに予め石鹸等のシェービング剤を塗布した状態でかみそり刃の刃先のエッジが肌に沿うようにかみそり刃を滑らせて切断するのであるが、シェービング剤を塗布せずに髭を剃ると、かみそり刃で肌を傷つけるので、シェービング剤を所持して塗布しなければ髭を剃ることが事実上できなかった。
【０００３】
またこの種の安全かみそりと称されるもので、モータ等を用いて刃を振動させることにより髭の切断抵抗を低減し、かみそり刃の切れ味向上や刃寿命向上に効果のあるものが存在する。これは、図１０、図１１に示すようにヘッド部１と使用の際に持つところとなるグリップ部２と、ヘッド部１とグリップ部２との間にあってこの両者を連結している弾性体すなわち緩衝部材３、そしてヘッド部１に配置した振動カプラー５とからなるものとして形成されている。ヘッド部１には既製の安全かみそり刃と称されるかみそり刃４が装着されている。グリップ部２内にはスイッチ回路８や電池９が内装してある。振動カプラー５内には直流モータのようなモータ６が配置されており、モータ６の回転軸と振動カプラー５の中心軸が一致するようにモータ６は固定されており、モータ６を回転駆動することで偏心分銅７の重心が移動することにより、これに接続されたヘッド部１が振動してかみそり刃４が振動するようになっている。かかる従来例ではかみそり刃が振動することで髭の切断抵抗を低減してスムーズに髭を剃ることができるが、肌を傷付けないように髭剃りするためにはシェービング剤を所持して塗布しなければならないという問題がある。
【０００４】
また髭剃り中にシェービング剤を出すものは電気シェーバで存在する（例えば、特許文献１参照）が、電気シェーバはそれ自体の本体が安全かみそりに比べて大きくて携帯等に不便であるという問題がある。
【０００５】
また所謂安全かみそりと称される構造のもので、剃り動作中にシェービング剤を出す機能を有するものが存在する（例えば、特許文献２参照）。これは内部に圧電アクチュエータを内蔵しており、圧電アクチュエータにてかみそり刃を振動させるようになっており、しかも圧電アクチュエータの振動力の一部はダイヤフラム式ポンプのダイヤフラムを振動する力として利用され、ダイヤフラム式ポンプでシェービング剤が剤タンクからヘッド部に供給できるようになっている。かかる従来例ではシービング剤をヘッド部に供給できるためにシェービング剤を所持しなくても使用できるが、バイモルフ型圧電素子からなる圧電アクチュエータを用いているため、数百ヘルツの周波数で振動させた場合、十分な振幅と力が得られず、圧電素子の振動を制御する発信機と回路が必要となるので結果としてスケールとコストアップを招くだけでなく、ダイヤフラム式ポンプにおいて十分な流量の流量のシェービング剤を移送できないことが懸念される。またかかる従来例の構造ではかみそり刃の長手方向にかみそり刃を振動させることができない。
【０００６】
【特許文献１】
特表２０００−５１６１２４号公報
【特許文献２】
特開２０００−２５４３６７号公報
【０００７】
【発明が解決しようとする課題】
本発明は上記の点に鑑みてなされたものであり、髭剃りする時に簡単な構造でシェービング剤を自動的に十分にかみそり刃に供給でき、シェービング剤を別途所持しなくてもいつでもどこでも髭剃りすることができると共に低コストで実現できる振動式かみそりを提供することを課題とするものである。
【０００８】
【課題を解決するための手段】
上記課題を解決するための本発明の振動式かみそりは、肌に対して刃先を刃先の稜線方向と直交する方向に摺動させて髭を剃るかみそり刃４が配置されたヘッド部１と、このヘッド部１に一端が連結されたグリップ部２と、かみそり刃４に振動を加える振動発生装置を備えた振動式かみそりにおいて、モータ６を動力としてモータ６にて回転駆動される偏心カムＡにてダイヤフラム１０が振動させられることで作動するダイヤフラム式ポンプＢを具備し、シェービング剤を貯蔵した剤タンク１１からシェービング剤をダイヤフラム式ポンプＢにてヘッド部１のかみそり刃４の近傍に供給するようにすると共にダイヤフラム式ポンプＢ自体を振動発生装置としてかみそり刃４に振動を与えるようにしたことを特徴とする。上記のようにモータ６にて回転駆動される偏心カムＡにてダイヤフラム１０が振動させられるダイヤフラム式ポンプＢでシェービング剤が送られるためにダイヤフラム１０が十分な振幅と力で振動させられて十分な量のシェービング剤をかみそり刃４に自動的に供給でき、また従来の圧電アクチュエータを用いるもののように余分な回路を要しないで十分な振幅と力が得れるために構造を簡単にできると共に低コスト化が図れる。また上記のようなダイヤフラム式ポンプＢでかみそり刃４を振動させるのでかみそり刃４も十分な振幅と力で振動させて髭の切断抵抗を低減し、かみそり刃４の切れ味向上や刃寿命向上できる。
【０００９】
またシェービング剤の噴出を制御するためにモータ６からダイヤフラム１０に動力を伝達する前にダイヤフラム１０にかかる圧力を弱める機構を有することを特徴とすることも好ましい。モータ６にて偏心カムＡを駆動してダイヤフラム１０を振動させるとダイヤフラム１０を十分に振動させることができるが、振幅や力が大き過ぎる場合、ダイヤフラム１０にかかる圧力を弱めることでシェービング剤の供給量を適切に調整できる。
【００１０】
また剤タンク１１からダイヤフラム式ポンプＢにシェービング剤を送る経路に空気導入孔１２を設けると共にダイヤフラム式ポンプＢ内にシェービング剤を攪拌する機構を設け、泡状のシェービング剤をかみそり刃４に吐出するようにしたことを特徴とすることも好ましい。この場合、泡状のシェービング剤を吐出することにより、シェービング剤の出過ぎを緩和すると同時に、泡独特の肌へのソフトな感触を実現できる。
【００１１】
またかみそり刃４の側面に微小な溝１３を有し、該溝１３までシェービング剤を導く導管を有し、ダイヤフラム式ポンプＢによりシェービング剤がかみそり刃４の刃先まで送られるようにしたことを特徴とする。この場合、剃り始めた時点でシェービング剤が刃先まで行き亙り、肌と刃の摩擦低減や肌の保護効果を剃り始めの早期に発揮することができる。
【００１２】
またヘッド部１の髭剃り時に肌に接する部分にダイヤフラム式ポンプＢより送られてきたシェービング剤を担持する担持体１４を有することを特徴とすることも好ましい。この場合、担持体１４でシェービング剤を担持することでシェービング剤の出過ぎを防止できると同時に既に肌上に塗布されたシェービング剤を肌面に延ばしたり再び吸収することにより、無駄なくより均一にシェービング剤を肌面に維持できる。
【００１３】
またダイヤフラム式ポンプＢから送られてきたシェービング剤を刃ヘッド１近傍にてかみそり刃４の刃先線に沿って分岐させる分岐体１５を有することを特徴とすることも好ましい。この場合、ダイヤフラム式ポンプで送られてきたシェービング剤がかみそり刃４の刃先に均一に供給される。
【００１４】
またヘッド部１にローラ１６等を有し、ヘッド部１近傍まで送られてきたシェービング剤を肌面に分散せしめる構造を有することを特徴とすることも好ましい。この場合、ローラ１６等の表面を伝わってシェービング剤が肌表面に行き亙るのを助けることができる。
【００１５】
【発明の実施の形態】
先ず、図１に示す実施の形態の例から述べる。本発明の振動かみそりは、ヘッド部１と使用の際に持つところとなるグリップ部２と、ヘッド部１とグリップ部２との間にあってこの両者を連結している弾性体すなわち緩衝部材３、そしてヘッド部１に配置した振動カプラー５とから主体が構成されている。ヘッド部１には既製の安全かみそり刃と称される単刃のかみそり刃４が１乃至複数枚装着されている。グリップ部２内にはスイッチ回路８や電池９が内装してある他、シェビング剤を貯蔵した剤タンク１１を内装してある。剤タンク１１に貯蔵したシェービング剤は液状の石鹸等である。
【００１６】
振動カプラー５内にはダイヤフラム式ポンプＢを内装してある。このダイヤフラム式ポンプＢはダイヤフラム１０を有するポンプ本体１７とモータ６と偏心カムＡにて主体が構成されている。振動カプラー５内の下部にはモータ６を設置してあり、モータ６とグリップ部２内のスイッチ回路８や電池９とをリード線１８にて接続してあり、振動カプラー５内の上部にはポンプ本体１７を設置してある。モータ６の回転軸１９には偏心カムＡを装着してあるが、本例の場合、偏心カムＡが偏心分銅７にて形成されている。偏心分銅７は回転することにより偏心分銅７がポンプ本体１７のダイヤフラム１０を振動させることができるようになっている。ポンプ本体１７には吸入するとき開放され排出するとき閉じられる吸入弁２０と、吸入するとき閉じられ排出するとき開放される排出弁２１とを設けてある。ヘッド部１には剤バッファ２２を設けてあり、この剤バッファ２２と剤タンク１１とは剤輸送管２３にて連通させたり、剤輸送管２３の途中にダイヤフラム式ポンプＢのポンプ本体１７を挿入してある。
【００１７】
上記のように構成せる振動式かみそりは通常の安全かみそりと同様にグリップ部２を手で持ち、かみそり刃４の刃先を肌に接触させ、かみそり刃４の刃先の稜線方向と直交するように刃先を肌に対して摺動させることにより髭を剃るのであるが、この際にダイヤフラム式ポンプＢのモータ６を回転駆動すると、偏心カムＡとしての偏心分銅７が偏心回転することで偏心カムＡがダイヤフラム１０を振動させ、剤タンク１１から剤輸送管２３及びポンプ本体１７を介して剤バッファ２２にシェービング剤が送られ、かみそり刃４の刃先の近傍にシェービング剤が供給される。これにより、肌に自動的にシェービング剤が供給されて肌を傷めないように髭を剃ることができる。またモータ６で偏心駆動される偏心カムＡとしての偏心分銅７でダイヤフラム１０を振動させてシェービング剤を送るために十分な量のシェービング剤を送ることができる。ダイヤフラム式ポンプＢを回転駆動することによりダイヤフラム式ポンプＢの振動にてヘッド部１が振動させられ、かみそり刃４が振動させられる。ダイヤフラム式ポンプＢの振動にてかみそり刃４が振動させられるが、このときの振動は偏心分銅７が偏心回転するときの振動で主に得られる。このようにしてはかみそり刃４が振動することにより髭剃り時の切断抵抗を低減できる。
【００１８】
次に図２、図３に示す実施形態の例について述べる。本例も上記例と基本的に同じであり、異なる点だけを主に述べる。上記例では偏心カムＡとして偏心分銅７をダイヤフラム１０に直接接触させてダイヤフラム１０を振動させたが、本例の場合、往復移動体２４を介してダイヤフラム１０を振動させることができるようになっている。往復移動体２４は振動カプラー５内に設けた移動支持体２５に摺動自在に支持してあり、移動支持体２５にてガイドされて往復移動体２４は移動するようになっている。偏心分銅７には回転軸１９に対して偏心させた位置で可動軸２６を装着してあり、往復移動体２４に往復移動体２４の移動方向と略直交するように設けた長孔２７に可動軸２６を摺動自在に挿通してある。また往復移動体２４はダイヤフラム１０に結合部２８にて嵌合結合等で結合してある。
【００１９】
しかしてモータ６にて偏心分銅７を回転駆動すると、図３（ａ）（ｂ）（ｃ）（ｄ）のように偏心分銅７と一緒に可動軸２６が回転軸１９を中心に回転し、可動軸２６が長孔２７に対して摺動することで往復移動体２４が往復運動し、往復移動体２４の往復にて結合部２８を介してダイヤフラム１０が振動する。このダイヤフラム１０の振動にてシェービング剤が送られる。このとき可動軸２６を回転軸１９に対して近付けて設けると、往復移動体２４の往復移動量を少なくでき、ダイヤフラム１０にかかる圧力を小さくしてシェービング剤の供給量を少なくできる。つまり、回転軸１９に対する可動軸２６の位置を調整することにより往復移動体２４の往復移動量を調整してシェービング剤の供給量を調整することができる。
【００２０】
次に図４に示す実施の形態の例について述べる。本例も図２に示す例と基本的に同じであり、異なる点だけを主に述べる。本例の場合、ダイヤフラム式ポンプＢの手前で剤輸送管２３と外部とを連通させる空気導入孔１２を形成してある。またポンプ本体１７内でダイヤフラム１０と一体に攪拌片３０を突設してある。ダイヤフラム式ポンプＢを駆動することにより剤タンク１１内のシェービング剤がポンプ本体１７内に吸い上げられるが、途中に空気導入孔１２から空気が混入され、ダイヤフラム１０と一緒に振動する攪拌片３０で空気を混入したシェービング剤が攪拌され、空気が混入して泡状になったシェービング剤が液輸送管２３を介して剤バッファ２２に送られ、剤バッファ２２からかみそり刃４の刃先の近傍で外部に排出される。本例の場合、泡状のシェービング剤を供給するためにシェービング剤の出過ぎを緩和することができると共に泡独特の肌へのソフトな感覚を実現することができる。
【００２１】
次に図５、図６に示す実施の形態の例について述べる。本例も上記例と基本的に同じであり、異なる点だけを主に述べる。ヘッド部１にはかみそり刃４を設けてあるが、このかみそり刃４の側面には刃の基部から刃先に至る微小な溝１３を複数本穿設してある。そしてかみそり刃４の基部側で溝１３を剤バッファ２２に連通させてあり、剤バッファ２２まで送られてきたシェービング剤が複数の溝１３を伝って刃先まで供給されるようになっている。このようにしてあると、髭を剃り始めた時点でシェービング剤が刃先まで行き亙り、肌とかみそり刃４との摩擦低減や肌保護の効果を剃り早期に発揮することができる。
【００２２】
次に図７に示す実施の形態の例について述べる。本例も上記例と基本的に同じであり、異なる点だけを主に述べる。本例の場合、剤バッファ２２の一部分或いは全部の空間にシェービング剤を担持する担持体１４を配置してある。この担持体１４は綿状あるいは布状のものである。このように担持体１４を設けてあると、シェービング剤を一旦担持体１４に保持することでシェービング剤の出過ぎを防止すると同時に、既に、肌上に塗布されたシェービング剤を肌面に延ばしたり再び吸収することにより、無駄なくより均一にシェービング剤を肌面に維持できる。
【００２３】
次に図８に示す実施の形態の例について述べる。本例も上記例と基本的に同じであり、異なる点だけを主に述べる。本例の場合、剤輸送管２３と剤バッファ２２との間に分岐体１５を配置してあり、分岐体１５には複数の分岐通路１５ａを設けてある。これによりシェービング剤をかみそり刃４の刃先線に沿って分岐させて供給でき、シェービング剤が刃先近傍に均一に供給するのを助けることができるようになっている。
【００２４】
次に図９に示す実施の形態の例について述べる。本例も上記例と基本的に同じであり、異なる点だけを主に述べる。本例の場合、かみそり刃４の刃先より先端側でヘッド部１にローラ１６を設けてあり、剤バッファ２２をローラ１６のある部分に連通させたり、ローラ１６の部分に送られきたシェービング剤を肌面に分散されるようになっている。つまり、剃り始めにおいて、ヘッド部１のかみそり刃４を肌に当てたとき、同時に肌に接するローラ１６をかみそり刃４と並列に配置すれば、髭剃り時に剤バッファ２２からローラ１６表面にシェービング剤が供給され、シェービング剤がローラ１６表面と伝わって肌表面に行き亙るのをローラ１６が助けるようになっている。このときローラ１６が肌に接触するので綿や布と異なる感覚で肌を刺激する効果がある。
【００２５】
【発明の効果】
本発明の請求項１の発明は叙述の如くモータを動力としてモータにて回転駆動される偏心カムにてダイヤフラムが振動させられることで作動するダイヤフラム式ポンプを具備し、シェービング剤を貯蔵した剤タンクからシェービング剤をダイヤフラム式ポンプにてヘッド部のかみそり刃の近傍に供給するようにすると共にダイヤフラム式ポンプ自体を振動発生装置としてかみそり刃に振動を与えるようにしたので、ダイヤフラムが十分な振幅と力で振動させられて十分な量のシェービング剤をかみそり刃に自動的に供給でき、また従来の圧電アクチュエータを用いるもののように余分な回路を要しないで十分な振幅と力が得れるために構造を簡単にできると共に低コスト化が図れるものであり、ダイヤフラム式ポンプでかみそり刃を振動させることでかみそり刃も十分な振幅と力で振動させて髭の切断抵抗を低減し、かみそり刃の切れ味向上や刃寿命向上できるものである。
【００２６】
また本発明の請求項２の発明は、請求項１において、シェービング剤の噴出を制御するためにモータからダイヤフラムに動力を伝達する前にダイヤフラムにかかる圧力を弱める機構を有するので、ダイヤフラムの振幅や力が大き過ぎる場合、ダイヤフラムにかかる圧力を弱めることでシェービング剤の供給量を適切に調整できるものである。
【００２７】
また本発明の請求項３の発明は、請求項１において、剤タンクからダイヤフラム式ポンプにシェービング剤を送る経路に空気導入孔を設けると共にダイヤフラム式ポンプ内にシェービング剤を攪拌する機構を設け、泡状のシェービング剤をかみそり刃に吐出するようにしたので、泡状のシェービング剤を吐出することにより、シェービング剤の出過ぎを緩和すると同時に、泡独特の肌へのソフトな感触を実現できるものである。
【００２８】
また本発明の請求項４の発明は、請求項１において、かみそり刃の側面に微小な溝を有し、該溝までシェービング剤を導く導管を有し、ダイヤフラム式ポンプによりシェービング剤がかみそり刃の刃先まで送られるようにしたので、剃り始めた時点でシェービング剤が刃先ませ行き亙り、肌と刃の摩擦低減や肌の保護効果を剃り始めの早期に発揮することができるものである。
【００２９】
また本発明の請求項５の発明は、請求項１において、ヘッド部の髭剃り時に肌に接する部分にダイヤフラム式ポンプより送られてきたシェービング剤を担持する担持体を有するので、担持体でシェービング剤を担持することでシェービング剤の出過ぎを防止できると同時に既に肌上に塗布されたシェービング剤を肌面に延ばしたり再び吸収することにより、無駄なくより均一にシェービング剤を肌面に維持できるものである。
【００３０】
また本発明の請求項６の発明は、請求項１において、ダイヤフラム式ポンプから送られてきたシェービング剤を刃ヘッド近傍にてかみそり刃の刃先線に沿って分岐させる分岐体を有するので、ダイヤフラム式ポンプで送られてきたシェービング剤がかみそり刃の刃先に均一に供給されるものである。
【００３１】
また本発明の請求項７の発明は、請求項１において、ヘッド部にローラ等を有し、ヘッド部近傍まで送られてきたシェービング剤を肌面に分散せしめる構造を有するので、ローラ等の表面を伝わってシェービング剤が肌表面に行き亙るのを助けることができるものである。
【図面の簡単な説明】
【図１】本発明の実施の形態の一例を示す正面から見た断面図である。
【図２】同上の他の例を示す正面から見た断面図である。
【図３】（ａ）（ｂ）（ｃ）（ｄ）は同上の動作を説明する平面から見た断面図である。
【図４】同上の他の例の正面から見た断面図である。
【図５】同上の他の例の要部の側面から見た断面図である。
【図６】同上のかみそり刃を示し、（ａ）は平面図、（ｂ）は側面から見た断面図、（ｃ）は（ａ）のＸ−Ｘ線断面図である。
【図７】同上の他の例の要部の側面から見た断面図である。
【図８】同上の他の例の要部の正面から見た断面図である。
【図９】同上の他の例の側面から見た断面図である。
【図１０】従来例の側面から見た断面図である。
【図１１】従来例の斜視図である。
【符号の説明】
Ａ  偏心カム
Ｂ  ダイヤフラム式ポンプ
１  ヘッド部
２  グリップ部
４  かみそり刃
６  モータ
１０  ダイヤフラム
１１  剤タンク
１２  空気導入孔
１３  溝
１４  担持体
１５  分岐体
１６  ローラ
【図１】
2004321322.tif 000003
【図２】
2004321322.tif 000004
【図３】
2004321322.tif 000005
【図４】
2004321322.tif 000006
【図５】
2004321322.tif 000007
【図６】
2004321322.tif 000008
【図７】
2004321322.tif 000009
【図８】
2004321322.tif 000010
【図９】
2004321322.tif 000011
【図１０】
2004321322.tif 000012
【図１１】
2004321322.tif 000013